(57)【要約】【課題】ブーツの取付部３が相手取付部材２１に対し軸方向に変位しにくく、変位に伴って膜部２が変形するのを抑制することを課題とする。【解決手段】蛇腹形状の膜部２の端部に相手取付部材２１に対する取付部３を有し、取付部３の内周面にシールリップ６，７を複数有し、相手取付部材２１の外周面に複数のシールリップ６，７を嵌合する嵌合溝２２を有する自在継手用ブーツの取付構造において、嵌合溝２２の底面部に、複数のシールリップ６，７間の環状凹部８に係合する環状凸部２３が設けられている。また、環状凸部２３のブーツ外部側端面２３ｂおよび嵌合溝２２のブーツ内部側端面がそれぞれ軸直角平面状の係合面として形成されている。【選択図】図２
2019056479.tif 000002
【特許請求の範囲】
【請求項１】
蛇腹形状の膜部の端部に、相手取付部材に対する取付部を有し、
前記取付部の内周面にシールリップを複数有し、
前記相手取付部材の外周面に、前記複数のシールリップを嵌合する嵌合溝を有する自在継手用ブーツの取付構造において、
前記嵌合溝の底面部に、前記複数のシールリップ間の環状凹部に係合する環状凸部を設け、
前記環状凸部のブーツ外部側端面および前記嵌合溝のブーツ内部側端面をそれぞれ軸直角平面状の係合面として形成したことを特徴とする自在継手用ブーツの取付構造。
【請求項２】
請求項１記載の自在継手用ブーツの取付構造において、
前記環状凸部のブーツ内部側端面をこれも軸直角平面状の係合面として形成したことを特徴とする自在継手用ブーツの取付構造。
【発明の詳細な説明】
【技術分野】
【０００１】
本発明は、自在継手に装着される自在継手用ブーツの取付構造に関する。
【背景技術】
【０００２】
従来から図６（Ａ）に示すように、蛇腹形状の膜部２の一方の端部（図では左端部）にシャフト２１に対する取付部（小径側取付部）３を設けるとともに他方の端部（図では右端部）に自在継手の外側継手部材３１に対する取付部（大径側取付部）４を設け、両取付部３，４の外周面にそれぞれバンド装着溝５を設けた自在継手用ブーツ１が知られている。
【０００３】
上記自在継手用ブーツ１は、これをシャフト２１および外側継手部材３１の外周にセットし、その後バンド４１で締め付けることにより、ブーツ外部の異物がブーツ内部へ侵入しないよう、またブーツ内部の潤滑用グリースがブーツ外部へ漏洩しないようにシール機能を発揮する。
【０００４】
図６（Ｂ）に拡大して示すように取付部３の内周面にはシール性を高めるため、シールリップ６，７が複数設けられており、この複数のシールリップ６，７がまとめて、シャフト２１の外周面に設けた環状の嵌合溝２２に嵌合され、嵌合溝２２の底面部に接触する構造とされている。
【先行技術文献】
【特許文献】
【０００５】
【特許文献１】特開２００４−３０１２０２号公報
【発明の概要】
【発明が解決しようとする課題】
【０００６】
しかしながら、上記従来技術では図示するように、ブーツ内部側（図では右側）のシールリップ６のブーツ内部側端面６ａおよび嵌合溝２２のブーツ内部側端面２２ａが共にテーパー面状に形成されているため、取付部３に対し軸方向荷重が入力すると、シールリップ６のブーツ内部側端面６ａが嵌合溝２２のブーツ内部側端面２２ａに乗り上げやすい。したがってこの場合、取付部３がシャフト２１に対し軸方向に変位し、膜部２が変形し、変形した膜部２が外側継手部材３１等のブーツ内部部品と干渉することにより損傷するおそれがある。
【０００７】
本発明は以上の点に鑑みて、ブーツの取付部がシャフトや外側継手部材等の相手取付部材に対して軸方向に変位しにくく、もってこの変位に伴って膜部が変形するのを抑制することができる自在継手用ブーツの取付構造を提供することを課題とする。
【課題を解決するための手段】
【０００８】
上記課題を解決するため、本発明の自在継手用ブーツの取付構造は、蛇腹形状の膜部の端部に、相手取付部材に対する取付部を有し、前記取付部の内周面にシールリップを複数有し、前記相手取付部材の外周面に、前記複数のシールリップを嵌合する嵌合溝を有する自在継手用ブーツの取付構造において、前記嵌合溝の底面部に、前記複数のシールリップ間の環状凹部に係合する環状凸部を設け、前記環状凸部のブーツ外部側端面および前記嵌合溝のブーツ内部側端面をそれぞれ軸直角平面状の係合面として形成したことを特徴とする。
【０００９】
また、実施の態様として、上記記載の自在継手用ブーツの取付構造において、前記環状凸部のブーツ内部側端面をこれも軸直角平面状の係合面として形成したことを特徴とする。
【発明の効果】
【００１０】
本発明では、嵌合溝の底面部に、複数のシールリップ間の環状凹部に係合する環状凸部が設けられているため、シールリップがこの環状凸部に係合することにより取付部が相手取付部材に対して軸方向に変位しにくい。また、環状凸部のブーツ外部側端面が軸直角平面状の係合面として形成されているため、シールリップがこの環状凸部のブーツ外部側端面に乗り上げにくい。また、嵌合溝のブーツ内部側端面がこれも軸直角平面状の係合面として形成されているため、シールリップがこの嵌合溝のブーツ内部側端面に乗り上げにくい。したがってこれらのことから、ブーツの取付部が相手取付部材に対して軸方向に変位するのを抑制することができ、変位に伴って膜部が変形するのを抑制することができる。
【図面の簡単な説明】
【００１１】
【図１】本発明の実施の形態に係る自在継手用ブーツの取付構造を示す断面図
【図２】図１の一部拡大図
【図３】（Ａ）は同取付構造における自在継手用ブーツの一部拡大断面図、（Ｂ）は同取付構造におけるシャフトの一部外観図
【図４】本発明の他の実施の形態に係る自在継手用ブーツの取付構造を示す要部断面図
【図５】（Ａ）は同取付構造における自在継手用ブーツの一部拡大断面図、（Ｂ）は同取付構造におけるシャフトの一部外観図
【図６】（Ａ）は従来例に係る自在継手用ブーツの取付構造を示す断面図、（Ｂ）は（Ａ）の一部拡大図
【発明を実施するための形態】
【００１２】
実施の形態・・・・
図１は、実施の形態に係る取付構造を備えた自在継手および自在継手用ブーツを示している。
【００１３】
自在継手用ブーツ１は、蛇腹形状の膜部２を有し、この膜部２の一方の端部（図では左端部）にシャフト２１に対する取付部（小径側取付部）３が設けられるとともに他方の端部（図では右端部）に外側継手部材３１に対する取付部（大径側取付部）４が設けられ、両取付部３，４の外周面にそれぞれ締付けバンド４１を装着するためのバンド装着溝５が設けられている。また図２に拡大して示すように、取付部３，４の内周面にそれぞれシール性を高めるためのシールリップ６，７が複数（２本）設けられ、この複数のシールリップ６，７がまとめて、シャフト２１の外周面に設けた環状の嵌合溝２２に嵌合され、嵌合溝２２の底面部に接触する構造とされている。
【００１４】
シャフト２１に対する取付部３の取付構造と、外側継手部材３１に対する取付部４の取付構造は、軸方向に対称な構造とされている。したがって以下では前者の、シャフト２１に対する取付部３について説明する。
【００１５】
図２および図３（Ａ）（Ｂ）に示すように、シャフト２１の外周面に設けた環状の嵌合溝２２の底面部であって溝幅方向の中央部に、複数のシールリップ６，７間の環状凹部８に係合する環状凸部２３が設けられている。
【００１６】
環状凸部２３のブーツ内部側（図では右側）の端面２３ａは、嵌合溝２２のブーツ内部側の端面２２ａとの間の溝幅寸法が溝開口部側から溝底面部側へかけて漸次狭まる方向へ傾斜するテーパー面状に形成されているが、その対向面である嵌合溝２２のブーツ内部側の端面２２ａは軸直角平面状の係合面として形成されており、これに対応して、ブーツ内部側に位置するシールリップ６のブーツ外部側の端面６ｂはテーパー面状に形成され、同シールリップ６のブーツ内部側の端面６ａは軸直角平面状に形成されている。
【００１７】
また、嵌合溝２２のブーツ外部側（図では左側）の端面２２ｂは、溝幅寸法が溝開口部側から溝底面部側へかけて漸次狭まる方向へ傾斜するテーパー面状に形成されているが、その対向面である環状凸部２３のブーツ外部側の端面２３ｂは軸直角平面状の係合面として形成されており、これに対応して、ブーツ外部側に位置するシールリップ７のブーツ外部側の端面７ｂはテーパー面状に形成され、同シールリップ７のブーツ内部側の端面７ａは軸直角平面状に形成されている。
【００１８】
上記構成の取付構造においては、取付部３に対してブーツ外部側からブーツ内部側へかけての軸方向荷重Ｐ１（図２）が入力しても、ブーツ外部側のシールリップ７が環状凸部２３に係合するため、取付部３がシャフト２１に対しブーツ内部側へ向けて変位しにくい。
【００１９】
また、環状凸部２３のブーツ外部側の端面２３ｂが軸直角平面状の係合面として形成され、これに対応してブーツ外部側のシールリップ７のブーツ内部側の端面７ａも軸直角平面状に形成されているため、ブーツ外部側のシールリップ７が環状凸部２３のブーツ外部側の端面２３ｂに乗り上げにくい。
【００２０】
また、嵌合溝２２のブーツ内部側端面２２ａがこれも軸直角平面状の係合面として形成され、これに対応してブーツ内部側のシールリップ６のブーツ内部側の端面６ａも軸直角平面状に形成されているため、ブーツ内部側のシールリップ６が嵌合溝２３のブーツ内部側の端面２２ａに乗り上げにくい。
【００２１】
したがってこれらのことから、ブーツ１の取付部３がシャフト２１に対しブーツ内部側へ向けて変位するのを抑制することができ、変位に伴って膜部２が変形するのを抑制することができる。
【００２２】
他の実施の形態・・・・
尚、上記実施の形態では、環状凸部２３のブーツ内部側の端面２３ａおよびブーツ内部側のシールリップ６のブーツ外部側の端面６ｂを共にテーパー面状としたが、図４および図５（Ａ）（Ｂ）に示すように、これらの両面２３ａ，６ｂを共に軸直角平面状に形成することにより両面２３ａ，６ｂを互いに係合させるようにしても良い。
【００２３】
この場合には、上記実施の形態における効果に加えて、取付部３に対しブーツ内部側からブーツ外部側へかけての軸方向荷重Ｐ２（図４）が入力しても、ブーツ内部側のシールリップ６が環状凸部２３に係合するため、取付部３がシャフト２１に対しブーツ外部側へ向けて変位しにくい。
【００２４】
また、環状凸部２３のブーツ内部側の端面２３ａが軸直角平面状の係合面として形成されるとともに、これに対応してブーツ内部側のシールリップ６のブーツ外部側の端面６ｂも軸直角平面状に形成されているため、ブーツ内部側のシールリップ６が環状凸部２３のブーツ内部側の端面２３ａに乗り上げにくい。
【００２５】
したがってこれらのことから、ブーツ１の取付部３がシャフト２１に対しブーツ外部側へ向けて変位するのを抑制することができ、変位に伴って膜部２が変形するのを抑制することができる。
【００２６】
環状凸部２３の径方向高さ寸法は、嵌合溝２２の径方向深さ寸法よりも小さく形成されるが、両者は同一寸法であっても良い。
【符号の説明】
【００２７】
１  自在継手用ブーツ
２  膜部
３，４  取付部
５  バンド装着溝
６，７  シールリップ
６ａ，７ａ，２２ａ，２３ａ  ブーツ内部側端面
６ｂ，７ｂ，２２ｂ，２３ｂ  ブーツ外部側端面
８  環状凹部
２１  シャフト（相手取付部材）
２２  嵌合溝
２３  環状凸部
４１  締付けバンド
【図１】
2019056479.tif 000003
【図２】
2019056479.tif 000004
【図３】
2019056479.tif 000005
【図４】
2019056479.tif 000006
【図５】
2019056479.tif 000007
【図６】
2019056479.tif 000008